【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
複数の画像データの画素ごとに血流の時間情報を示すパラメータ値を求め、前記血流の時間情報を示すパラメータ値に応じて各画素の画素値を決定することにより、パラメータ画像を生成するパラメータ画像生成部と、
リアルタイムに得られる被検体のＸ線透視画像と、前記パラメータ画像の少なくとも一部を用いたロードマップ画像と、を合成した合成画像を生成して表示部に表示させる画像合成部と、
を備えた画像処理装置。
【請求項２】
前記画像合成部は、
前記被検体の部位に挿入されたデバイスの注目箇所の前記パラメータ画像上における位置を特定する位置特定部と、
前記パラメータ画像から、前記デバイスの注目箇所の位置のパラメータ値を含む所定の値域内のパラメータ値を有する画素を抽出する抽出部と、
前記パラメータ画像のうち、前記抽出部により抽出された画素に対応する部分画像を前記ロードマップ画像として生成し、リアルタイムに得られる前記被検体の前記Ｘ線透視画像と前記ロードマップ画像とを合成した合成画像を生成して前記表示部に表示させる合成画像生成部と、
を有する、
請求項１記載の画像処理装置。
【請求項３】
前記画像合成部は、
前記被検体の部位に挿入されたデバイスの注目箇所の前記パラメータ画像上における位置を特定するとともに、前記パラメータ画像上における前記デバイスの目標位置の情報を取得する位置特定部と、
前記パラメータ画像から、前記デバイスの注目箇所の位置のパラメータ値から前記デバイスの目標位置のパラメータ値までのパラメータ値を有する画素を抽出する抽出部と、
前記パラメータ画像のうち、前記抽出部により抽出された画素に対応する部分画像を前記ロードマップ画像として生成し、リアルタイムに得られる前記被検体の前記Ｘ線透視画像と前記ロードマップ画像とを合成した合成画像を生成して前記表示部に表示させる合成画像生成部と、
を有する、
請求項１記載の画像処理装置。
【請求項４】
前記抽出部は、
前記デバイスの注目箇所の位置に対応する画素から、前記デバイスの目標位置のパラメータ値に近づく方向に、画素を連続的にたどっていき、前記デバイスの目標位置に達するまでにたどった画素を抽出する、
請求項３記載の画像処理装置。
【請求項５】
前記画像合成部は、
前記被検体の部位に挿入されたデバイスの注目箇所の前記パラメータ画像上における位置を特定する位置特定部と、
前記パラメータ画像から、前記デバイスの注目箇所の位置を含む所定の領域内の画素を抽出する抽出部と、
前記パラメータ画像のうち、前記抽出部により抽出された画素に対応する部分画像を前記ロードマップ画像として生成し、リアルタイムに得られる前記被検体の前記Ｘ線透視画像と前記ロードマップ画像とを合成した合成画像を生成して前記表示部に表示させる合成画像生成部と、
を有する、
請求項１記載の画像処理装置。
【請求項６】
前記抽出部は、
前記パラメータ画像から、さらに前記デバイスの目標位置を含む所定の領域内の画素を抽出する、
請求項５記載の画像処理装置。
【請求項７】
前記パラメータ画像生成部は、
前記被検体の時系列的に連続した複数のＤＳＡ画像における画素ごとの時間濃度曲線にもとづいて画素ごとに前記血流の時間情報を示すパラメータ値を求め、前記血流の時間情報を示すパラメータ値に応じて各画素の画素値を決定することにより、前記パラメータ画像を生成し、
前記画像合成部は、
前記複数のＤＳＡ画像の一部または全部、前記合成画像、前記Ｘ線透視画像または前記パラメータ画像に対して付されたアノテーションがあると、このアノテーションを前記合成画像に重畳して前記表示部に表示させる、
請求項１ないし６のいずれか１項に記載の画像処理装置。
【請求項８】
前記パラメータ画像生成部は、
前記血流の時間情報を示すパラメータ値に応じて、カラーマップにもとづいて各画素の画素値を決定することにより、前記パラメータ画像をカラー画像として生成する、
請求項１ないし７のいずれか１項に記載の画像処理装置。
【請求項９】
前記画像合成部は、
前記デバイスの注目箇所が属する血管の画素の透過度よりも、他の画素の透過度のほうが高くなるように各画素の透過度を設定して前記ロードマップ画像を生成する、
請求項２ないし６のいずれか１項に記載の画像処理装置。
【請求項１０】
前記パラメータ画像生成部は、
前記被検体の時系列的に連続した複数のＤＳＡ画像における画素ごとの時間濃度曲線にもとづいて画素ごとに前記血流の時間情報を示すパラメータ値を求め、前記血流の時間情報を示すパラメータ値に応じて各画素の画素値を決定することにより、前記パラメータ画像を生成し、
前記画像合成部は、
前記合成画像に対し、前記被検体の部位が所定の前記複数のＤＳＡ画像を連続的に見せる動画像、または前記複数のＤＳＡ画像から生成された前記被検体の部位の血管が一様に造影された様子を示す造影静止画像、をさらに合成する、
請求項２ないし９のいずれか１項に記載の画像処理装置。
【請求項１１】
前記パラメータ画像生成部は、
前記パラメータ値として、前記複数の画像データの画素ごとの時間濃度曲線にもとづいて各画素に造影剤が到達するまでの時間を用いた第１のパラメータ画像と、最大濃度到達時間を用いた第２のパラメータ画像と、をそれぞれ生成し、
前記画像合成部は、
ユーザの入力部を介した指示に応じて、または所定のタイミングごとに、前記被検体の前記Ｘ線透視画像と合成する前記ロードマップ画像を、前記第１のパラメータ画像にもとづくロードマップ画像と前記第２のパラメータ画像にもとづくロードマップ画像とで切り替える、
請求項１ないし１０のいずれか１項に記載の画像処理装置。
【請求項１２】
前記画像合成部は、
ユーザの入力部を介した指示に応じて、または所定のタイミングごとに、前記被検体の前記Ｘ線透視画像と合成するロードマップ画像を、前記パラメータ画像の少なくとも一部を用いて生成した前記ロードマップ画像と、前記複数のＤＳＡ画像から生成された前記被検体の部位の血管が一様に造影された様子を示す造影静止画像と、で切り替える、
請求項１ないし１１のいずれか１項に記載の画像処理装置。
【請求項１３】
被検体をＸ線撮像するＸ線撮像部と、
複数の画像データの画素ごとに血流の時間情報を示すパラメータ値を求め、前記血流の時間情報を示すパラメータ値に応じて各画素の画素値を決定することにより、パラメータ画像を生成するパラメータ画像生成部と、
リアルタイムに得られる前記被検体のＸ線透視画像と、前記パラメータ画像の少なくとも一部を用いたロードマップ画像と、を合成した合成画像を生成して表示部に表示させる画像合成部と、
を備えたＸ線診断装置。
【請求項１４】
複数の画像データの画素ごとに血流の時間情報を示すパラメータ値を求めるステップと、
前記血流の時間情報を示すパラメータ値に応じて各画素の画素値を決定することにより、パラメータ画像を生成するステップと、
リアルタイムに得られる被検体のＸ線透視画像と、前記パラメータ画像の少なくとも一部を用いたロードマップ画像と、を合成した合成画像を生成して表示部に表示させるステップと、
を有する画像処理方法。
【請求項１５】
前記合成画像を生成して前記表示部に表示させるステップは、
前記被検体の部位に挿入されたデバイスの注目箇所の前記パラメータ画像上における位置を特定するステップと、
前記パラメータ画像から、前記デバイスの注目箇所の位置のパラメータ値を含む所定の値域内のパラメータ値を有する画素を抽出するステップと、
前記パラメータ画像のうち、前記抽出された画素に対応する部分画像を前記ロードマップ画像として生成し、リアルタイムに得られる前記被検体の前記Ｘ線透視画像と前記ロードマップ画像とを合成した合成画像を生成して前記表示部に表示させるステップと、
を有する、
請求項１４記載の画像処理方法。
【手続補正２】
【補正対象書類名】明細書
【補正対象項目名】発明の名称
【補正方法】変更
【補正の内容】
【発明の名称】画像処理装置、Ｘ線診断装置および画像処理方法
【手続補正３】
【補正対象書類名】明細書
【補正対象項目名】０００１
【補正方法】変更
【補正の内容】
【０００１】
本発明の実施形態は、画像処理装置、Ｘ線診断装置および画像処理方法に関する。
【手続補正４】
【補正対象書類名】明細書
【補正対象項目名】０００８
【補正方法】変更
【補正の内容】
【０００８】
本発明に係る画像処理装置、Ｘ線診断装置および画像処理方法の実施の形態について、添付図面を参照して説明する。